(57)【要約】【課題】  金融端末内部の被清掃対象物に付着した塵埃を効率良く除去することが可能な電気掃除機用ブロワノズルの提供。【解決手段】  電気掃除機用ブロワノズルは、直管部１０とこれに対して片側に傾斜したテーパ管状部１１よりなるノズル本体１を有する。ノズル本体１の基端１ａに接続口１２を形成する。ノズル本体１の先端１ｂに接続口１２の内径よりも小さな内径の圧縮空気噴出口１３を形成する。電気掃除機２のホース３の端部に装着されたスポットノズル４の先端部をノズル本体１の接続口１２から直管部１０の内部に差し込み、ノズル本体１をスポットノズル４の先端部に取付ける。ノズル本体１のテーパ管状部１１が電気掃除機２の排気を絞って圧縮した圧縮空気とし、圧縮空気がノズル本体１の圧縮空気噴出口１３から噴出される。【選択図】        図１
2005204697.tif 000002
【特許請求の範囲】
【請求項１】
空気入口側の基端に電気掃除機のホースの端部に装着したノズル体に接続可能な接続口を有すると共に、空気出口側の先端に前記電気掃除機の排気口から排出される排気を圧縮した圧縮空気を噴出するための圧縮空気噴出口を有するノズル本体を備えた電気掃除機用ブロワノズルであって、
前記ノズル本体は、前記基端から前記先端の途中に向って僅かに縮径する直管部と、前記直管部の末端に片側に傾斜して一体に形成され、前記直管部の中心軸線に対して鋭角な角度で交差する中心軸線方向に基端寄りから先端に向って縮径するテーパ管状部とよりなり、前記ノズル本体の基端に前記直管部と前記テーパ管状部との境界部分の内径よりも僅かに大きい内径の端面円形の接続口を形成したことを特徴とする電気掃除機用ブロワノズル。
【請求項２】
上記ノズル本体の上記直管部の中心軸線と上記テーパ管状部の中心軸線との交差する交差角度は、５°〜２０°の範囲内である請求項１に記載の電気掃除機用ブロワノズル。
【請求項３】
上記ノズル本体の材質は、ポリプロピレン等の熱可塑性樹脂である請求項１に記載の電気掃除機用ブロワノズル。
【請求項４】
上記ノズル本体の先端に形成された圧縮空気噴出口の端面形状は、円形である請求項１に記載の電気掃除機用ブロワノズル。
【請求項５】
上記ノズル本体の先端の圧縮空気噴出口は、被清掃対象物の清掃箇所の形状に対応するように形成されている請求項１に記載の電気掃除機用ブロワノズル。
【発明の詳細な説明】
【技術分野】
【０００１】
本発明は、電気掃除機用ブロワノズルに関し、特に、金融端末の内部において発生した塵埃を除去するための圧縮空気を噴出する電気掃除機用ブロワノズルに関するものである。
【背景技術】
【０００２】
銀行や郵便局などの金融機関には、現金を取り扱うＡＴＭ（Ａｕｔｏｍａｔｉｃ  Ｔｅｌｌｅｒ  Ｍａｃｈｉｎｅ；現金自動預入支払機），ＣＤ（Ｃａｓｈ  Ｄｉｓｐｅｎｓｅｒ；現金自動支払機），紙幣計数機，証券計数機，営業店端末などの各種の金融端末が設置されており、近年、特定のコンビニエンスストアにもＡＴＭが設置されるようになった。
金融端末の内部には、投光器と受光器とからなる多数の光センサや紙幣を搬送するための紙幣搬送装置，紙幣搬送路などが配設されている。
【０００３】
そして、紙幣は実際に流通している間に、紙幣の表面に塵埃が付着して汚れてくる。
【０００４】
金融端末の内部では、紙幣を高速でカウントするため、多量の塵埃が発生し、紙幣を紙幣搬送装置や紙幣搬送路で搬送する際に、紙幣の表面が紙幣搬送装置の搬送ベルト，搬送ローラや紙幣搬送路で強く擦られ、紙幣の表面に付着している塵埃が剥がれ落ちることにより、金融端末の内部において紙幣の表面から剥がれ落ちた塵埃が発生し、しかも、大気中に浮遊している塵埃が空気の流れや摩擦により発生する静電気などにより金融端末の内部に入り込んでしまうので、塵埃が時間の経過と共に金融端末の内部の被清掃対象物となる多数の光センサや紙幣搬送装置の搬送ベルト，搬送ローラや紙幣搬送路に付着し、塵埃が光センサの投光器や受光器の表面に多量に付着すると、光センサ自体の検出機能が低下してしまい、金融端末の動作に不都合を生じるおそれがある。
したがって、保守作業員が金融端末の内部において被清掃対象物に付着した塵埃を除去する清掃作業を定期的に行っている。
【０００５】
金融端末の内部において被清掃対象物に付着した塵埃の清掃は、保守作業員が一般に市販されているブロワ機能付きの電気掃除機を使用し、掃除機本体の排気を排出する排気口にホースの一端部を差し込んで接続した後、電気掃除機のホースの他端部に吸引／ブロワ両用のスポットノズルの基端部を差し込んで接続し、電気掃除機のホースの他端にスポットノズルを取付け、スポットノズルの先端の噴出口から噴出される圧縮空気により金融端末の内部に配設された多数の光センサの投光器や受光器の表面，紙幣搬送装置の搬送ベルト，搬送ローラ，紙幣搬送路などに付着した塵埃を吹き飛ばして除去を行っている。
【０００６】
従来、電動ブロワを内蔵した本体ケースと、電動ブロワの吸込側に接続された吸込みノズル及び電動ブロワの排気側に接続された排気穴と、本体ケースに設けられた携帯手段とを備え、電動ブロワの排気側に接続されたブロワノズルと、電動ブロワのブロワノズル及び排気穴に対する連通状態を切替える切替弁とを有する携帯型掃除機が特許文献１に開示されている。
【特許文献１】特開２０００−２４５６５９号公報
【発明の開示】
【発明が解決しようとする課題】
【０００７】
ところが、現状では、ブロワノズルとして電気掃除機の標準の付属品である吸引／ブロワ両用のスポットノズルを使用しており、スポットノズルの先端の噴出口の口径が大きいので、スポットノズルの噴出口から噴出される圧縮空気の噴出力が弱くなり、スポットノズルの噴出口から噴出される圧縮空気の噴出圧力が低いので、金融端末の内部に配設された多数の光センサの投光器や受光器の表面，紙幣搬送装置の搬送ベルト，搬送ローラ，紙幣搬送路などに付着した塵埃をスポットノズルの噴出口から噴出される圧縮空気により吹き飛ばして効率良く確実に除去することができず、しかも、保守作業員が金融端末の内部の被清掃対象物となる多数の光センサの投光器や受光器の表面，紙幣搬送装置の搬送ベルト，搬送ローラ，紙幣搬送路などに付着した塵埃を除去する際に、スポットノズルの先端の噴出口を清掃しようとする被清掃対象物に近付けると、被清掃対象物の清掃箇所がスポットノズルの先端部で隠れてしまうので、被清掃対象物の清掃箇所が保守作業員の目から見え難く、スポットノズルの先端を被清掃対象物の清掃箇所に当ててしまい、被清掃対象物の清掃箇所をスポットノズルの先端で破損するおそれがあった。
【０００８】
また、特許文献１に開示された携帯型掃除機では、ブロワノズルの先端の圧縮空気噴出口の口径が大きいので、ブロワノズルの圧縮空気噴出口から噴出される圧縮空気の噴出力が弱くなり、ブロワノズルの圧縮空気噴出口から噴出される圧縮空気の噴出圧力が低いので、金融端末の内部に配設された多数の光センサの投光器や受光器の表面，紙幣搬送装置の搬送ベルト，搬送ローラ，紙幣搬送路などに付着した塵埃をブロワノズルの圧縮空気噴出口から噴出される圧縮空気により吹き飛ばして効率良く確実に除去することができず、しかも、保守作業員が金融端末の内部の被清掃対象物となる多数の光センサの投光器や受光器の表面，紙幣搬送装置の搬送ベルト，搬送ローラ，紙幣搬送路などに付着した塵埃を除去する際に、ブロワノズルの先端の圧縮空気噴出口を被清掃対象物に近付けると、被清掃対象物の清掃箇所がブロワノズルの先端部で隠れてしまうので、被清掃対象物の清掃箇所が保守作業員の目から見え難く、ブロワノズルの先端を被清掃対象物の清掃箇所に当ててしまい、被清掃対象物の清掃箇所をブロワノズルの先端で破損するおそれがあった。
【０００９】
そこで、本発明の目的は、上記の事情に鑑みてなされたものであって、ブロワ機能付きの電気掃除機のホースの端部に装着したノズル体の先端部をノズル本体の基端の接続口から直管部の内部に差し込むのみで、ノズル本体の直管部がノズル体の先端部の外側に嵌合するので、ノズル本体をノズル体を介して電気掃除機のホースの端部に簡単に取付けることができ、ノズル本体の先端の圧縮空気噴出口の口径が従来のブロワノズルの圧縮空気噴出口の口径よりも小さいので、ノズル本体の圧縮空気噴出口から噴出される圧縮空気の噴出力が強くなり、ノズル本体の圧縮空気噴出口から噴出される圧縮空気の噴出圧力が高いので、金融端末の内部に配設された多数の光センサの投光器や受光器の表面，紙幣搬送装置の搬送ベルト，搬送ローラ，紙幣搬送路などに付着した塵埃をノズル本体の圧縮空気噴出口から噴出される圧縮空気により吹き飛ばして効率良く確実に除去することができ、しかも、保守作業員が金融端末の内部の被清掃対象物となる多数の光センサの投光器や受光器の表面，紙幣搬送装置の搬送ベルト，搬送ローラ，紙幣搬送路などに付着した塵埃を除去する際に、ノズル本体の先端の圧縮空気噴出口を被清掃対象物に近付けても、ノズル本体のテーパ管状部が直管部の片側に傾いているので、被清掃対象物の清掃箇所がノズル本体の先端部で隠れてしまうこともなく、被清掃対象物の清掃箇所が保守作業員の目から見易く、被清掃対象物の清掃箇所のノズル本体の先端による破損を防止することが可能な電気掃除機用ブロワノズルを提供することにある。
【課題を解決するための手段】
【００１０】
本発明の電気掃除機用ブロワノズルは、空気入口側の基端に電気掃除機のホースの端部に装着したノズル体に接続可能な接続口を有すると共に、空気出口側の先端に前記電気掃除機の排気口から排出される排気を圧縮した圧縮空気を噴出するための圧縮空気噴出口を有するノズル本体を備えた電気掃除機用ブロワノズルであって、前記ノズル本体が、前記基端から前記先端の途中に向って僅かに縮径する直管部と、前記直管部の末端に片側に傾斜して一体に形成され、前記直管部の中心軸線に対して鋭角な角度で交差する中心軸線方向に基端寄りから先端に向って縮径するテーパ管状部とよりなり、前記ノズル本体の基端に前記直管部と前記テーパ管状部との境界部分の内径よりも僅かに大きい内径の端面円形の接続口を形成したことを特徴とする構成を有するものである。
【００１１】
上記に記載の本発明によれば、電気掃除機のホースの端部に装着したノズル体の先端部をノズル本体の基端に形成した接続口から直管部の内部に差し込んで接続すると、ノズル本体の直管部がノズル体の先端部の外側に嵌合し、ノズル本体がノズル体を介して電気掃除機のホースの端部に取付けられ、ノズル本体の直管部の長さが長いので、ノズル本体がノズル体の先端部から抜け外れることもなく、ノズル本体の先端に形成した圧縮空気噴出口から圧縮空気が噴出され、金融端末の内部に配設された多数の光センサの投光器や受光器の表面，紙幣搬送装置の搬送ベルト，搬送ローラ，紙幣搬送路などに付着した塵埃をノズル本体の圧縮空気噴出口から噴出される圧縮空気により吹き飛ばして除去できる。
【００１２】
本発明の電気掃除機用ブロワノズルは、上記ノズル本体の上記直管部の中心軸線と上記テーパ管状部の中心軸線との交差する交差角度が、５°〜２０°の範囲内である。
【００１３】
上記に記載の本発明によれば、ノズル本体の直管部の中心軸線とテーパ管状部の中心軸線との交差する交差角度が５°〜２０°の範囲内であるので、ノズル本体のテーパ管状部が電気掃除機の掃除機本体の排気口から排出される排気の流れを阻害することが少ない。
【００１４】
本発明の電気掃除機用ブロワノズルは、上記ノズル本体の材質が、ポリプロピレン等の熱可塑性樹脂である。
【００１５】
上記に記載の本発明によれば、ノズル本体の材質がポリプロピレン等の熱可塑性樹脂であるので、ノズル本体が耐衝撃性に優れ、ノズル本体の製造コストが安価で、被清掃対象物を損傷し難く、ノズル本体を再資源としてリサイクルすることもできる。
【００１６】
本発明の電気掃除機用ブロワノズルは、上記ノズル本体の先端に形成された圧縮空気噴出口の端面形状が、円形である。
【００１７】
上記に記載の本発明によれば、ノズル本体の先端に形成された圧縮空気噴出口の端面形状が円形であるので、円形でない場合に比べて最も効率良く断面を空気が流れるため、金融端末の内部に配設された多数の光センサの投光器や受光器の表面に付着した塵埃をノズル本体の先端の圧縮空気噴出口から噴出する圧縮空気により効率良く吹き飛ばして除去することができる。
【００１８】
本発明の電気掃除機用ブロワノズルは、上記ノズル本体の先端の圧縮空気噴出口が、被清掃対象物の清掃箇所の形状に対応するように形成されている。
【００１９】
上記に記載の本発明によれば、ノズル本体の先端の圧縮空気噴出口が被清掃対象物の清掃箇所の形状に対応するように形成されているので、ブロワノズルを清掃しようとする被清掃対象物の清掃箇所の形状に合わせて自由に選択することができる。
【発明の効果】
【００２０】
以上に述べたように、本発明によれば、ブロワ機能付きの電気掃除機のホースの端部に装着したノズル体の先端部をノズル本体の基端の接続口から直管部の内部に差し込むのみで、ノズル本体の直管部がノズル体の先端部の外側に嵌合するので、ノズル本体をノズル体を介して電気掃除機のホースの端部に簡単に取付けることができ、ノズル本体の先端の圧縮空気噴出口の口径が従来のブロワノズルの圧縮空気噴出口の口径よりも小さいので、ノズル本体の圧縮空気噴出口から噴出される圧縮空気の噴出力が強くなり、ノズル本体の圧縮空気噴出口から噴出される圧縮空気の噴出圧力が高いので、金融端末の内部に配設された多数の光センサの投光器や受光器の表面，紙幣搬送装置の搬送ベルト，搬送ローラ，紙幣搬送路などに付着した塵埃をノズル本体の圧縮空気噴出口から噴出される圧縮空気により吹き飛ばして効率良く確実に除去することができ、しかも、保守作業員が金融端末の内部の被清掃対象物となる多数の光センサの投光器や受光器の表面，紙幣搬送装置の搬送ベルト，搬送ローラ，紙幣搬送路などに付着した塵埃を除去する際に、ノズル本体の先端の圧縮空気噴出口を被清掃対象物に近付けても、ノズル本体のテーパ管状部が直管部の片側に傾いているので、被清掃対象物がノズル本体の先端部で隠れてしまうこともなく、被清掃対象物の清掃箇所が保守作業員の目から見易く、被清掃対象物の清掃箇所のノズル本体の先端による破損を防止することが可能な電気掃除機の空気ブロワノズルを得ることができる。
【発明を実施するための最良の形態】
【００２１】
以下、本発明を実施するための最良の形態を図面を参照して詳細に説明する。
【実施例】
【００２２】
本発明の電気掃除機用ブロワノズルは、空気入口側の基端１ａに電気掃除機のホースの端部に装着したノズル体であるスポットノズル４に接続可能な接続口１２を有すると共に、空気出口側の先端１ｂに電気掃除機の掃除機本体の排気口から排出される排気を圧縮した圧縮空気を噴出するための圧縮空気噴出口１３を有するノズル本体１を備えている。
【００２３】
本発明の電気掃除機用ブロワノズルは、ノズル本体１が、基端１ａから先端１ｂの途中に向って僅かに縮径する直管部１０と、直管部１０の末端に片側に傾斜して一体に形成され、直管部１０の中心軸線Ｃ１に対して鋭角な角度で交差する中心軸線Ｃ２方向に基端１ａ寄りから先端１ｂに向って大きく縮径するテーパ管状部１１とよりなり、ノズル本体１の基端１ａに直管部１０とテーパ管状部１１との境界部分の内径よりも僅かに大きい内径の端面円形の接続口１２を形成されている。
【００２４】
本発明の電気掃除機用ブロワノズルは、ノズル本体１の直管部１０の中心軸線Ｃ１とテーパ管状部１１の中心軸線Ｃ２との交差する交差角度θが、５°〜２０°の範囲内である。
【００２５】
本発明の電気掃除機用ブロワノズルは、ノズル本体１の材質が、ポリプロピレン等の熱可塑性樹脂である。
【００２６】
本発明の電気掃除機用ブロワノズルは、ノズル本体１の先端１ｂに形成された圧縮空気噴出口１３の端面形状が、円形である。
【００２７】
本発明の電気掃除機用ブロワノズルは、ノズル本体１の先端１ｂの圧縮空気噴出口１３が、被清掃対象物の清掃箇所の形状に対応するように形成されている。
【００２８】
図１は、本発明に係る第１実施例の電気掃除機用ブロワノズルを示す正断面図、図２は、図１の左側面図、図３は、図１の右側面図、図４は、本発明に係る第１実施例の電気掃除機用ブロワノズルの電気掃除機のホースへの取付け状態を示す正面図、図５は、本発明に係る第１実施例の電気掃除機用ブロワノズルの電気掃除機のホースへの接続状態を示す要部拡大断面図、図６は、本発明に係る第１実施例の電気掃除機用ブロワノズルの使用状態を示す概略斜視図である。
ブロワノズルは、図１に示すように、ノズル本体１を有し、ノズル本体１の基端１ａには、図２に示すように、図４に示す電気掃除機２のホース３の端部に装着したスポットノズル４の先端部を差し込んで接続するための一側方に向って開口する端面円形の接続口１２が形成されると共に、ノズル本体１の先端１ｂには、図３に示すように、電気掃除機２の掃除機本体２０の排気口（図示せず）から排出される排気を圧縮した圧縮空気を噴出するための他側方に向って開口する端面円形の圧縮空気噴出口１３が形成され、ノズル本体１の先端１ｂは基端１ａと平行に形成されている。
【００２９】
そして、図３に示す本発明の第１実施例の電気掃除機用ブロワノズルのノズル本体１の先端１ｂに形成した圧縮空気噴出口１３は、金融端末５の内部に配設された光センサの投光器や受光器などの丸形の被清掃対象物に対応するようになっている。
【００３０】
ブロワノズルのノズル本体１は、図１に示すように、中心軸線Ｃ１方向に基端１ａから先端１ｂの途中に向って僅かに縮径するテーパ管状の直管部１０を有し、直管部１０の末端には、直管部１０の中心軸線Ｃ１に対して鋭角な角度で交差する中心軸線Ｃ２方向に基端１ａ寄りから先端１ｂに向って大きく縮径するテーパ管状部１１が片側に傾斜して一体に形成されている。
【００３１】
ブロワノズルのノズル本体１の基端１ａに形成された接続口１２の内径は、ノズル本体１の直管部１０とテーパ管状部１１との境界部分の内径よりも僅かに大きくなっている。
【００３２】
ブロワノズルのノズル本体１の全長は、１００ｍｍ、ノズル本体１の直管部１０の長さは、２５ｍｍ、ノズル本体１のテーパ管状部１１の長さは、７５ｍｍとなっている。
【００３３】
また、ブロワノズルのノズル本体１の基端１ａに形成した接続口１２の口径となる内径は、１５．９ｍｍ、ノズル本体１の基端１ａから２０ｍｍ入った位置の直管部１０の内径は、１４．９ｍｍ、ノズル本体１の先端１ｂに形成した圧縮空気噴出口１３の口径となる内径は、５ｍｍとなっている。
【００３４】
さらに、ブロワノズルのノズル本体１の直管部１０の中心軸線Ｃ１とテーパ管状部１１の中心軸線Ｃ２との交差する交差角度θは、９°となっている。
【００３５】
ブロワノズルのノズル本体１の電気掃除機２のホース３への取付けは、まず、図４に示すように、ブロワ機能付きの電気掃除機２の掃除機本体２０の排気口（図示せず）にホース３の一端部３ａを差し込んで接続する。
次いで、電気掃除機２のホース３の他端部３ｂにスポットノズル４の基端部４ａを接続し、電気掃除機２のホース３の他端にスポットノズル４を取付ける。
【００３６】
その後、スポットノズル４のテーパ管状の先端部４ｂをブロワノズルのノズル本体１の基端１ａに形成した接続口１２から直管部１０の内部に差し込むことにより、図５に示すように、ブロワノズルのノズル本体１の直管部１０がスポットノズル４の先端部４ｂの外側に嵌合され、ブロワノズルのノズル本体１の直管部１０の内周面１４とスポットノズル４の先端部４ｂの外周面４０とが互いに密接し、ブロワノズルのノズル本体１の先端１ｂに形成した圧縮空気噴出口１３がスポットノズル４及びホース３を介して電気掃除機２の掃除機本体２０の排気口と連通し、図４に示すように、ブロワノズルのノズル本体１はスポットノズル４を介して電気掃除機２のホース３の他端に取付けられる。
【００３７】
次に、本発明に係る第１実施例の電気掃除機用ブロワノズルの使用方法を説明する。
金融端末５の内部において被清掃対象物に付着した塵埃を電気掃除機用ブロワノズルにより除去する場合は、まず始めに、電気掃除機２の掃除機本体２０のスイッチ（図示せず）をＯＮにし、電気掃除機２を動作させると、電気掃除機２の掃除機本体２０の排気口から排気が排出され、電気掃除機２の掃除機本体２０の排気口から排出された排気はホース３及びスポットノズル４の内部を通ってブロワノズルのノズル本体１のテーパ管状部１１に流れ込み、ブロワノズルのノズル本体１のテーパ管状部１１が電気掃除機２の掃除機本体２０の排気口から排出される排気を絞って圧縮した圧縮空気とし、ブロワノズルのノズル本体１の先端１ｂに形成した圧縮空気噴出口１３から圧縮空気を噴出する。
【００３８】
保守作業員Ｐは、電気掃除機２のホース３の他端部３ｂを手で掴み、図６に示すように、ブロワノズルのノズル本体１の先端１ｂを金融端末５の内部の清掃しようとする被清掃対象物の清掃箇所に近付けることにより、金融端末５の内部に配設された被清掃対象物となる多数の光センサの投光器や受光器の表面，紙幣搬送装置の搬送ベルト，搬送ローラ，紙幣搬送路などに付着した塵埃をブロワノズルのノズル本体１の先端１ｂの圧縮空気噴出口１３から噴出する圧縮空気により吹き飛ばして除去する。
【００３９】
さらに、金融端末５の内部に配設された被清掃対象物となる多数の光センサの投光器や受光器の表面，紙幣搬送装置の搬送ベルト，搬送ローラ，紙幣搬送路などに付着した塵埃の電気掃除機用ブロワノズルによる除去が完了した後、電気掃除機２の掃除機本体２０の吸気口（図示せず）にホース３の一端部３ａを差し込んで接続すると共に、電気掃除機２のホース３の他端部３ｂに吸口体（図示せず）の基端部を差し込んで接続し、電気掃除機２のホース３の端部に吸口体を取付け、金融端末５の内部の塵埃を電気掃除機２の吸引機能を利用して空気と共に掃除機本体２０の内部の集塵室に吸込み、金融端末５の内部の塵埃の電気掃除機２による通常の清掃作業が行われる。
【００４０】
図７は、本発明に係る第２実施例の電気掃除機用ブロワノズルの正断面図である。
本発明の電気掃除機用ブロワノズルは、ノズル本体１の先端１ｂに、図７に示すように、斜め上方に向って開口する圧縮空気噴出口１５が形成され、ノズル本体１の他の構成は、図１に示す本発明の第１実施例の電気掃除機用ブロワノズルと全く同様のため、同一部位に同一符号を付して説明を省略する。
また、本発明に係る第２実施例の電気掃除機用ブロワノズルの使用方法は、図１に示す本発明の第１実施例の電気掃除機用ブロワノズルと全く同様のため、説明を省略する。
【００４１】
図８は、本発明に係る第３実施例の電気掃除機用ブロワノズルの正断面図である。
本発明の電気掃除機用ブロワノズルは、ノズル本体１の先端１ｂに、図８に示すように、斜め下方に向って開口する圧縮空気噴出口１６が形成され、ノズル本体１の他の構成は、図１に示す本発明の第１実施例の電気掃除機用ブロワノズルと全く同様のため、同一部位に同一符号を付して説明を省略する。
また、本発明に係る第３実施例の電気掃除機用ブロワノズルの使用方法は、図１に示す本発明の第１実施例の電気掃除機用ブロワノズルと全く同様のため、説明を省略する。
【００４２】
図９は、本発明に係る第４実施例の電気掃除機用ブロワノズルを示す右側面図である。
本発明の電気掃除機用ブロワノズルは、ノズル本体１の先端１ｂに、図９に示すように、図１に示す本発明の第１実施例の電気掃除機用ブロワノズルの圧縮空気噴出口１３とは異なる形状である四角形の圧縮空気噴出口１７が形成されている。
【００４３】
そして、図９に示す本発明の第４実施例の電気掃除機用ブロワノズルのノズル本体１の先端１ｂに形成した圧縮空気噴出口１７は、金融端末５の内部に配設された多角形状の被清掃対象物に対応するようになっている。
【００４４】
図１０は、本発明に係る第５実施例の電気掃除機用ブロワノズルを示す右側面図である。
本発明の電気掃除機用ブロワノズルは、ノズル本体１の先端１ｂに、図１０に示すように、図９に示す本発明の第４実施例の電気掃除機用ブロワノズルの圧縮空気噴出口１７とは異なる形状である横長溝孔状の矩形（長方形）の圧縮空気噴出口１８が形成されている。
【００４５】
そして、図１０に示す本発明の第５実施例の電気掃除機用ブロワノズルのノズル本体１の先端１ｂに形成した圧縮空気噴出口１８は、金融端末５の内部に配設された紙幣搬送装置の搬送ベルトなどの平面状の被清掃対象物に対応するようになっている。
【００４６】
さらに、本発明の電気掃除機用ブロワノズルは、ノズル本体の先端の圧縮空気噴出口が、金融端末の内部の被清掃対象物の清掃箇所の形状に対応するように形成されており、ブロワノズルを清掃しようとする被清掃対象物の清掃箇所の形状に合わせて自由に選択することが可能である。
【００４７】
なお、本発明の電気掃除機用ブロワノズルを使用する金融端末としては、紙幣計算機，両替機，現金処理機，ＵＢＴ（銀行端末），各種出納機器，ＡＤＳ，手形・小切手読取識別装置，手形・小切手発行機，現金整理機，マイクロソータ，エンコーダ，テーラーズマシン，紙幣帯締機，オープン出納機，ＵＭ機器，オートキャッシャ，紙幣等収納機，貨幣・紙幣整理機，硬貨巻機，カード封緘機の台紙カッタなどが挙げられる。
【００４８】
また、本発明の電気掃除機用ブロワノズルは、金融端末以外の自動改札機や自動販売機やコピー，ファックス，プリンタ，複合機などの情報処理端末の内部の清掃に使用することも可能である。
【図面の簡単な説明】
【００４９】
【図１】本発明に係る第１実施例の電気掃除機用ブロワノズルを示す正断面図。
【図２】図１の左側面図。
【図３】図１の右側面図。
【図４】本発明に係る第１実施例の電気掃除機用ブロワノズルの電気掃除機のホースへの取付け状態を示す正面図。
【図５】本発明に係る第１実施例の電気掃除機用ブロワノズルの電気掃除機のホースへの接続状態を示す要部拡大断面図。
【図６】本発明に係る第１実施例の電気掃除機用ブロワノズルの使用状態を示す概略斜視図。
【図７】本発明に係る第２実施例の電気掃除機用ブロワノズルの正断面図。
【図８】本発明に係る第３実施例の電気掃除機用ブロワノズルの正断面図。
【図９】本発明に係る第４実施例の電気掃除機用ブロワノズルを示す右側面図。
【図１０】本発明に係る第５実施例の電気掃除機用ブロワノズルを示す右側面図。
【符号の説明】
【００５０】
１  ノズル本体
１ａ  基端
１ｂ  先端
２  電気掃除機
３  ホース
３ａ  一端部
３ｂ  他端部
４  スポットノズル（ノズル体）
４ａ  基端部
４ｂ  先端部
５  金融端末
１０  直管部
１１  テーパ管状部
１２  接続口
１３  圧縮空気噴出口
１４  内周面
１５  圧縮空気噴出口
１６  圧縮空気噴出口
１７  圧縮空気噴出口
１８  圧縮空気噴出口
２０  掃除機本体
４０  外周面
Ｃ１  中心軸線
Ｃ２  中心軸線
Ｐ  保守作業員
θ  交差角度
【図１】
2005204697.tif 000003
【図２】
2005204697.tif 000004
【図３】
2005204697.tif 000005
【図４】
2005204697.tif 000006
【図５】
2005204697.tif 000007
【図６】
2005204697.tif 000008
【図７】
2005204697.tif 000009
【図８】
2005204697.tif 000010
【図９】
2005204697.tif 000011
【図１０】
2005204697.tif 000012